(57)【特許請求の範囲】
【請求項１】
複数の文書（６０）を面同士が向かうよう積み重ねられた構成で格納するための筐体（５５）と、
前記筐体に取り外し可能に連結される支持板（１００）と、
前記支持板（１００）に回転可能に接続される複数のギアとを含み、少なくとも２つのシャフト（１３０）が少なくとも２つの対の前記ギア（１２０ａ，１２０ｂ）を接続するよう配され、さらに、
前記筐体（５５）に関連する複数の実質的に平行なラック（５９）を含み、前記ラック（５９）は複数の前記ギア（１２０ａ，１２０ｂ）を係合するよう構成され、さらに、
前記筐体の１つの長手方向端部にて、もっとも最近積み重ねられた文書に向かって前記支持板（１００）を付勢するための付勢機構（１５０）を含み、
ロック位置とアンロック位置との間で移動可能な設置機構をさらに含み、
前記設置機構の前記ロック位置は、付勢機構が前記少なくとも２つのシャフトのうちの１つの上に付勢力をかけることを防止し、これにより前記シャフトの回転を防止する、文書格納アセンブリ（５０）。
【請求項２】
前記支持板は、前記設置機構が前記ロック位置にある際に、前記筐体から取り外すことが可能である、請求項１に記載の文書格納アセンブリ。
【請求項３】
前記文書格納アセンブリにおいて文書（６０）を積み重ねるための文書積重機構（７０）を有する文書確認装置に、前記文書格納アセンブリが取り外し可能に連結されている、請求項１に記載の文書格納アセンブリ（５０）。
【請求項４】
摺動構成を含む補助機構を含み、前記摺動構成は、前記補助機構が前記筐体に対してその間にて低い抵抗量で摺動することを可能にする、請求項３に記載の文書格納アセンブリ。
【請求項５】
前記摺動構成は、前記補助機構と前記筐体との間に連結されるローラの連なりを含む、請求項４に記載の文書格納アセンブリ。
【請求項６】
前記摺動構成は、前記補助機構と前記筐体との間に連結される対の摺動レールを含む、請求項４に記載の文書格納アセンブリ。
【請求項７】
前記筐体に取り外し可能に連結されるとともに前記筐体の１つの側の少なくともある部分を形成するアクセスカバーをさらに含む、請求項１から６のいずれかに記載の文書格納アセンブリ。
【請求項８】
前記アクセスカバーは、前記文書の下に前記筐体の下側長手方向側を形成するよう配される、請求項７に記載の文書格納アセンブリ。
【請求項９】
前記付勢機構（１５０）は、前記少なくとも２つのシャフト（１３０）の１つに連結されるばねを含む、請求項１から８のいずれかに記載の文書格納アセンブリ。
【請求項１０】
前記複数のギアは、前記支持板の少なくとも２つの対向する縁部に回転可能に接続される、請求項１から９のいずれかに記載の文書格納アセンブリ。
【請求項１１】
前記少なくとも２つのシャフトは、前記支持板の対向する縁部上に少なくとも２つの対の前記ギアを接続するよう配される、請求項１から１０のいずれかに記載の文書格納アセンブリ。
【発明の詳細な説明】
【技術分野】
【０００１】
開示の分野
この開示は文書のための格納アセンブリに関し、より特定的には文書を積み重ねて格納するための積重管理構成に関する。この開示の目的のために、「文書」という用語は、銀行券、シート、紙幣、クーポン、証券用紙、通貨、チケット、または同様の性質の任意の他の柔軟性のある平坦な品物を含むが、これらに限定されない。
【背景技術】
【０００２】
背景
コンパートメント（たとえば、通貨カセット）を形成するとともに自動取引機と一緒に使用可能な文書格納アセンブリはしばしば、紙幣の積み重ねを支持するよう圧力板のような台を含む。圧力板は、新たに受け取った紙幣を積み重ねることを可能にするよう、任意のあらかじめ積み重ねられた紙幣とともに動かされ得る。この積み重ねにおいて紙幣の数が増加すると、積み重ねにより圧力板の面と積み重ねた紙幣の面との間でわずかな変動が移動の間に起こることによって、重力により当該積み重ねが崩れるかまたは落ちることがあり得る。積み重ねが崩れた場合、文書格納カセットはもはや紙幣を格納するために受け入れることができなくなり得、これにより自動取引機に手入れが必要となり得る。したがって、新しく受け入れた紙幣を積み重ねつつ、積み重ねた紙幣の面に対する圧力板の面の変動を最小限にすることは重要である。通貨を格納するのに利用可能な文書格納カセット内のスペースを最大化することも重要である。
【０００３】
圧力板アセンブリは典型的に、圧力板をある方向に付勢するよう１つ以上のばね（たとえば円錐形ばね）を用いる。従来のアセンブリでは、新しく受け取った紙幣を積み重ねつつ、圧力板は、各長手方向縁部上のピンを用いて圧力板をスロットに沿ってガイドする。上記ピンは、文書格納アセンブリの格納コンパートメントのスロットの中に嵌合する。他の圧力板アセンブリは、柱部に沿って移動するスリーブ軸受に接続される片持板を用いて、新しく受け取った紙幣を積み重ねるよう圧力板をガイドする。代替的には、圧力板の下に連結されるはさみ機構が、新しく受け取った紙幣を積み重ねながら圧力板を動かすよう用いられてもよい。さらなる代替例としては、本願明細書において参照により全文援用される米国特許公開番号第２００４／０１９５７５８号に開示されるように、ラックおよび噛合ギア構成を形成するように圧力板アセンブリを構成することである。
【０００４】
ある構成では、文書格納アセンブリは紙幣確認機に連結され、紙幣を当該アセンブリ内において垂直の向きに積み重ねるよう構成される。より具体的には、紙幣は、積み重ねた紙幣の面が垂直の態様で方向付けされるように積み重ねられる。このような構成が必要とされる場合、文書格納アセンブリ内の紙幣の積み重ねを変位させるのに付加的な力が必要とされる条件が発生し得る。文書格納アセンブリの中に格納される紙幣の積み重ねが増加すると、この積み重ねは、重力の効果により下方向に落ち始め、崩れ始める。積み重ねが崩れると、積み重ねを文書格納アセンブリの内壁に沿って引きずることにより引き起こされる摩擦力によって、新しく受け取った紙幣を積み重ねる間に紙幣の積み重ねを変位させるのに必要とされる力が大きく増加する。
【発明の概要】
【課題を解決するための手段】
【０００５】
概要
この開示は、積み重ねた構成で文書を格納するための文書格納アセンブリに関する。いくつかの実現例では、文書格納アセンブリの筐体における開口部に向かうよう文書の積み重ねを付勢するための支持板アセンブリが設けられる。いくつかの実現例では、文書格納アセンブリの筐体は、新たに受け取った文書の積み重ねの間に紙幣の積み重ねが変位されることを可能にする補助機構を含む。
【０００６】
いくつかの実現例では、文書格納アセンブリは文書確認システムに取り外し可能に連結される。公知のように、文書確認システムは文書を受け取るよう用いられ、挿入された文書の種類および／または信憑性を判断する。文書確認装置の一般的な動作は公知であり、したがって本開示では詳細には説明しない。
【０００７】
文書格納アセンブリは、筐体が少なくとも部分的に規定する文書格納アセンブリ格納コンパートメントに新たに受け取った文書を挿入するための積重機構を含み得る。代替的には、積重機構は文書確認装置の構成要素であり得る。文書格納アセンブリは、積み重ねた文書を収容するための格納コンパートメントを規定する筐体を含む。この筐体は、一端に開口部を含む。この開口部を通って、新たに受け取った文書が筐体に入り、文書が格納アセンブリ内に積み重ねられる。いくつかの実現例では、筐体はさらに、内部に格納される収容物へのアクセスを可能にするために、筺体本体に連結される移動可能アクセスカバーを含む。この取り外し可能なアクセスカバーは、閉（またはロック）状態と開または取り外し状態との間でアクセスカバーを選択的に固定するよう関連付けられる固定機構（たとえば、ロック機構）を有するよう構成され得る。たとえば、アクセスカバーは、アクセスカバーを適切な位置にロックするためのロック機構を含み得る。いくつかの実現例では、アクセスカバーは筐体に旋回可能に連結され、他の実現例では、アクセスカバーは筐体と摺動可能に係合可能である。
【０００８】
文書格納アセンブリは、文書の積み重ねを支持するための支持板を含む。支持板は、筐体に取り外し可能に連結され得、新たに受け取った文書の積み重ねの間に文書の積み重ねの変位を可能にするよう筐体に対して移動可能である。いくつかの実現例では、筐体は平行なラックを含み、支持板は、平行ラックとの動作可能な係合のためのギアを含む。いくつかの実現例では、ギアは支持板の少なくとも２つの実質的な縁部に回転可能に接続され、１つ以上の実質的に平行ラックが上記ギアの１つ以上と係合するよう構成される。いくつかの実現例では、ギアは、支持板の第１の縁部にて１つ以上のシャフトに接続され得、当該シャフトの１つ以上は支持板の第２の縁部へ延在し得る。ギアの１つ以上は支持板の第２の縁部にてシャフトの１つ以上に連結され得る。
【０００９】
いくつかの実現例では、支持板は、筐体の開口部（たとえば、文書が格納コンパートメントに入る方向）に向かって支持板を付勢するための付勢機構を含む。この付勢機構は、シャフトの少なくとも１つに連結されるばね（たとえば、ねじりばね）を含み得る。これにより、支持板が筐体の開口部（または挿入開口部）に向かうよう促される方向に、関連するシャフトの回転を引き起こす。
【００１０】
支持板はさらに、付勢機構に動作可能に連結される設置機構を含み得る。設置機構は、付勢機構が筐体における開口部に支持板を促すことを防止するよう構成され得る。いくつかの実現例では、設置機構は、付勢ばねに連結されるシャフトに関連するギア（または関連する構成要素）の少なくとも１つと係合してその回転を防止するよう、移動可能なアクチュエータ（またはトグル）を含む。いくつかの実現例では、支持機構は、少なくとも２つのシャフトにそれぞれ接続される少なくとも２つの対のギアを含む。いくつかの実現例では、付勢ばねは少なくとも２つのシャフトの１つに動作可能に連結される。いくつかの実現例では、設置機構は、少なくとも１つのシャフトの回転を防止するとともに、少なくとも１つの他のシャフトの回転を可能にするよう構成される。
【００１１】
いくつかの実現例では、文書格納アセンブリは、新たに受け取った文書が積み重ねられると、文書の積み重ねを変位させるのに必要な力を低減するための補助機構を含む。補助機構は、所定のしきい値を超える文書の積み重ねのサイズに依存して選択的に動作可能であり得る。補助機構は、新たに受け取った文書が積み重ねられる際の変位の間に文書の積み重ねを支持するよう、筐体に摺動可能に連結される摺動板を含み得る。いくつかの実現例では、摺動板は、転動ボールまたは軸受によって筐体に摺動可能に連結される。摺動板は、たとえば摺動レールまたは溝といった他の摺動機構を用いて筐体に連結され得る。
【００１２】
文書格納アセンブリが水平な構成で文書受入または処理装置に統合される際、文書の積み重ねは最終的に、重力の影響により筐体の下側の内面上に収まることとなる。先行する公知の構成では、水平カセットの下側表面に載る紙幣の積み重ねを変位させるのに必要とされる力は、新たに受け取った文書を送達するのに十分なように当該積み重ねを変位するために、積重機構からの大きな押出（または変位）力を必要とする。文書格納アセンブリの例示的な実現例では、標準（または低パワー）の積重機構が用いられるように、新たに受け取った文書を積み重ねるのに必要とされる力を最小化または低減するために補助機構が統合される。文書の積み重ねと筐体の下側表面との間に摺動板を位置決めすることにより、積重動作の間、文書は、低摩擦で摺動する態様で変位され得る。文書の積み重ねを低い摩擦抵抗で変位する能力により、上記積み重ねを変位させるのに必要とされる力がより効率的および小さくなる。
【００１３】
本発明のさまざまな局面が請求項に記載される。
【図面の簡単な説明】
【００１４】
【図１】文書処理装置を示す図である。
【図２】筐体を含む文書格納アセンブリを示す図である。
【図３】閉位置にある移動可能なアクセスカバーを含む文書格納アセンブリを示す図である。
【図４ａ】開位置にある移動可能なアクセスカバーを含む文書格納アセンブリを示す図である。
【図４ｂ】文書を受け入れるための開口部を含む文書格納アセンブリを示す図である。
【図５】筐体に連結される支持板を含む文書格納アセンブリを示す図である。
【図６】複数のギアを含む支持板を示す図である。
【図７】付勢機構を含む支持板を示す図である。
【図８】設置機構および付勢機構のさまざまな構成要素を示す図である。
【図９】移動可能な支持板と移動可能な補助機構とを含む文書格納アセンブリを示す図である。
【図１０】補助機構のさまざまな構成要素を示す図である。
【図１１】筐体の上に保留される文書の積み重ねを含む文書格納アセンブリを示す図である。
【図１２】積み重ねの少なくとも一部が補助機構の上に載る文書の積み重ねを含む文書格納アセンブリを示す図である。
【図１３】初期位置にある摺動板を含む補助機構を示す図である。
【図１４】中間位置にある摺動板を含む補助機構を示す図である。
【図１５】延長位置にある摺動板を含む補助機構を示す図である。
【発明を実施するための形態】
【００１５】
図面の詳細な説明
この開示は文書のための格納アセンブリに関し、より特定的には、文書を積み重ねて格納するための積重管理構成に関する。いくつかの実現例では、図１に示されるように、文書格納アセンブリ５０は文書処理装置（または装置）１０に取り外し可能に連結される。文書処理装置１０は、文書確認モジュール２０とフレーム構造３０とを含み得る。いくつかの実現例では、文書格納アセンブリ５０および確認モジュール２０はフレーム構造３０に取り外し可能に連結される。
【００１６】
確認モジュール２０は、挿入された文書６０をインレット２１にて受け入れ、搬送通路に沿って文書感知要素を通って文書６０を搬送するよう構成される。文書感知要素は、少なくとも文書６０の種類または文書６０の信憑性を判断するよう配される。確認モジュール２０が受け入れ可能と判断した文書は、文書格納アセンブリ５０に搬送される。いくつかの構成では、文書６０は、文書処理装置１０によって文書格納アセンブリ５０内の開口部５２に隣接する位置まで搬送される（図４ｂ参照）。いくつかの実現例では、文書格納アセンブリ５０は、各積み重ねた文書６０の面が文書格納アセンブリ５０の長手方向の寸法に対してほぼ鉛直または垂直になるように方向付けされる状態で積み重ねた構成で文書の積み重ねを格納するよう文書処理装置１０に連結される。
【００１７】
図２および図４に示されるように、文書格納アセンブリ５０は、内部格納コンパートメント５８を規定する筐体５５を含み得る。筐体５０は開口部５２を含む。図４ｂに示されるように、開口部５２を通って、新たに受け取った文書が挿入され、コンパートメント５８内に積み重ねられる。いくつかの実現例では、文書格納アセンブリ５０はさらに、図１１に示されるように、新たに受け取った文書６０を文書格納アセンブリ５０内に積み重ねるための文書積重機構７０を含む。いくつかの構成では、文書積重機構７０は、当該技術において公知のはさみタイプまたはプランジャ積重機構である。文書格納アセンブリ５０に連動して、当該技術において公知である積重機構７０の他の形態が用いられ得る。他の実現例では、図１１に示されるように、積重機構７０は文書処理装置１０とともに含まれ、新たに受け取った文書６０を内部に積み重ねるための文書格納アセンブリ５０に動作可能に連結される。
【００１８】
いくつかの実現例では、図３および図４に示されるように、筐体５５は、文書格納アセンブリ５０の収納物へのアクセスを選択的に提供するための移動可能なアクセスカバー５１を含む。アクセスカバー５１は、開位置と閉位置との間で移動可能である。この例示された実現例に示されるように、アクセスカバー５１は、筐体５５に摺動可能に連結される。他の実現例では、アクセスカバーは筐体５５に旋回可能に連結される。アクセスカバー５１はさらに、閉構成に位置決めされるとアクセスカバー５１の移動を防止するよう筐体５５と選択的な係合をするためのロック機構９０を含み得る。
【００１９】
筐体５５は実質的に平行なラック５９を含み得る（図５参照）。いくつかの実現例では、図５に示されるように、文書格納アセンブリ５０は文書６０の積み重ねの安定した支持のための移動可能支持板１００を含む。付勢機構１５０は、新たに受け取った文書６０が文書６０の積み重ねに挿入される方向に向かって支持板１００を付勢するために支持板１００に動作可能に連結される。いくつかの実現例では、図６および図７に示されるように付勢機構１５０は、支持板１００の対向する縁部１０１および１０２にてそれぞれ回転可能に接続されるギア１２０ａ、１２０ｂを含む。付勢機構１５０はさらに、支持板１００の対向する縁部上に少なくとも２つの対のギア１２０を接続するよう配される少なくとも２つのシャフト１３０を含む。いくつかの実現例では、付勢機構１５０はさらにシャフト１３０（図７参照）の１つに動作可能に連結されるばね１８０を含む。付勢ばね１８０は、少なくとも１つのシャフト１３０によって接続される上記対のギア１２０に付勢力を与えるよう配され、これにより図５に示されるように、支持板１００が文書格納アセンブリ５０の前部に向かうよう方向Ａへと促される。たとえば、図７に示される構成では、付勢ばね１８０は下側の対のギア１２０に接続されるシャフト１３０に動作可能に連結され、矢印Ｚの方向に回転するようシャフト１３０を促す。矢印Ｚの方向に下側のシャフト１３０を促すことにより、図５に示されるように、下側の対のギア１２０が下側ラック５９に沿って方向Ａに進む。
【００２０】
いくつかの実現例では、付勢機構１５０はさらに付勢機構１５０を選択的にロックするための設置機構２００を含む。より特定的には、設置機構２００はロック位置にある場合、下側のギア１２０が方向Ａにおいて順方向に進むことを防止するよう配される。設置機構２００は、図８に示されるようにロックアクチュエータ２０８、リンクギア２０５、ロッキングタブ２２０、およびシャフト２１０を含み得る。ロッキングタブ２２０は、設置機構２００がロック状態にある場合、付勢機構１５０の下側のシャフト１３０の（矢印Ｚの方向において）順方向へのさらなる回転を防止するために付勢機構１５０の位置決め凸部１８５を係合するよう配され得る。
【００２１】
いくつかの実現例では、文書格納装置５０は、文書格納アセンブリ５０内に積み重ねられる文書６０の積み重ねの変位を支持するよう配される補助機構３００を含む。補助機構３００は、図９および図１０に示されるように、筐体５５に摺動可能に連結される摺動板３１０を含み得る。いくつかの実現例では、補助機構３００はアクセスカバー５１に摺動可能に搭載される。いくつかの実現例では、補助機構３００は、摺動板３１０と筐体５５（またはアクセスカバー５１）との間に転がり接触して配置される転動体３３０を用いて筐体５５に摺動可能に連結される。
【００２２】
図１０は、アクセスカバー５１上の搭載部（mounting）を介して筐体５５に摺動可能に連結される補助機構３００の例を示す。アクセスカバー５１は摺動板３１０とアクセスカバー５１との間の複数の位置にて独立して転動体３３０を収納するための長手方向チャネル３３５を含み得る。積み重ねのサイズがひとたび所定のしきい値を超えると、補助機構３００は文書６０の積み重ねを支持するよう配され得る。いくつかの構成では、文書６０の積み重ねがあるサイズ（すなわちしきい値）に到達すると、重力効果により、方向Ａに支持板１００がかける力では、積み重ねの全長を筐体５０の下側表面の上に保留することができなくなり得る。文書６０の積み重ねがこのようなサイズのしきい値を超える場合、少なくとも積み重ねの一部が下方向に変位し、筐体５０（またはアクセスカバー５１もしくは支持板３１０）の下側表面上に載ることになる。補助機構３００を含む文書格納アセンブリ５０のいくつかの実現例では、文書６０の積み重ねの垂直方向に変位した部分が、筐体５０ではなく摺動板３１０に当接することになる。
【００２３】
いくつかの実現例では、文書６０の積み重ねは、文書格納装置５０に挿入される際に補助機構３００を係合するよう配される。たとえば、新たに受け取った文書６０は、積重動作の間に摺動板３１０を係合するよう開口部５２に対して位置決めされ得る。他の実現例では、押出板または他の相互作用部材が、文書６０の積み重ねの対向する位置にて摺動板３１０と当接して当該積み重ねを係合して積み重ねの中のすべての文書が変位し摺動板３１０に当接することを確実にするように、二次機構（図示せず）が文書６０の積み重ねと相互作用し得る。
【００２４】
ここで文書格納アセンブリの動作を記載する。文書６０がインレット２１を通じて文書処理装置１０に挿入されると、確認モジュール２０は文書６０の許容可能性を判断する。許容可能な文書６０が文書処理装置１０により、文書格納アセンブリ５０に隣接する位置に搬送される。文書格納アセンブリ５０に隣接する許容可能な文書６０は、積重機構７０により内部に積み重ねられる。文書６０が文書格納アセンブリ５０内に積み重ねられると、図１１に示されるように支持板１００は積重機構７０により変位される。支持板１００は、付勢機構１５０により積重機構７０に向かうよう促される。積重機構７０が新たに受け取った文書６０を延ばすとともに文書格納アセンブリ５０へと押し込むと、付勢機構１５０がかける促す力とは反対の方向に支持板１００が変位される。支持板１００の変位により、ギア１２０がラック５９に沿って回転する。積重機構７０が収縮すると、付勢機構１５０は積重機構７０に向かう（たとえば方向Ａ）よう支持板１００を促す。
【００２５】
さらなる文書が文書格納アセンブリ５０に積み重ねられると、積み重ねた文書６０のサイズが増加する。文書６０の積み重ねがあるしきい値を超えた後、図１２に示されるように、積み重ねの少なくとも一部が（たとえば、重力効果により）下方向に変位し得るとともに筐体５５（または摺動板３１０）に当接し得る。文書の積み重ねがサイズのしきい値を超える前に、支持板１００は、筐体５５（または摺動板３１０）に接触しない安定および保留構成に文書６０の積み重ねを維持する。このような構成では、筐体５５（または摺動板３１０）と相互作用することなく支持板１００を変位させることで、新たに積み重ねた文書６０が上記積み重ねに加えられる。
【００２６】
文書６０の積み重ねがサイズのしきい値を超えると、文書６０の積み重ねの一部が筐体５５（または摺動板３１０）に当接するよう垂直方向に変位し得る。この積み重ねにおいて垂直方向に変位した部分が摺動板３１０に当接すると、積み重ねの変位した部分は摺動板３１０（または筐体５５）に当接し、摺動板３１０を横方向（または長手方向）に変位させる。これにより、摺動板３１０は、新たに受け取った文書６０が積み重ねに加えられると文書６０の積み重ねとともに移動する。文書６０の積み重ねにおいて垂直方向に変位した部分が摺動板３１０に載る（または当接する）ので、文書６０の積み重ねを横方向に変位させるのに必要な抵抗（または摩擦）力は、非垂直方向に変位した積み重ねの抵抗（または摩擦）力と同様になるように維持（または低減）され得る。
【００２７】
たとえば図１３は、摺動板３１０が初期位置にあるのを示す。初期位置は、文書６０の積み重ねのサイズが、支持板１００が文書６０の積み重ねを保留または安定構成に維持して摺動板３１０に当接しない（または載らない）ようなサイズの場合の状態と同様である。文書の積み重ねが筐体５５（または摺動板３１０）と相互作用するよう垂直方向に変位した部分がないほど十分に小さい状態では、摺動板３１０はもっとも順方向の位置に位置する。文書６０の積み重ねが増加すると、重力の効果により少なくとも積み重ねの一部が落ち（または下方向に変位し）、筐体５５（または摺動板３１０）と当接する。いくつかの実現例では、文書格納アセンブリ５０のサイズは、少なくとも積み重ねの一部がその上に載っても摺動板３１０を（図１３に示されるように）初期位置に戻すよう構成される。文書６０の積み重ねがさらに増加すると、新たに受け取った文書６０の各積み重ね動作により、積み重ねおよび摺動板３１０の両方が同時に横方向に変位される。同様に、文書６０の積み重ねが増加すると、新たに受け取った文書６０の積み重ね動作の後、摺動板３１０のリターン位置は初期位置からさらに遠くなる。初期位置から離れた位置における摺動板３１０の位置の例が図１４に示される。新たに受け取った文書を文書格納アセンブリ５０の中に連続して受け入れることにより、図１５に示されるように、文書格納アセンブリ５０がさらに文書を受け入れることができない完全延長位置まで摺動板３１０が変位することになる。
【００２８】
いくつかの実現例では、文書格納アセンブリ５０は設置機構２００を含む。設置機構２００は、筐体５５から支持板１００を取り除くことを可能にし得る。設置機構２００はロック状態およびアンロック状態の２つの状態を有する。ロック状態では、アクチュエータ２０８が、支持板１００の周辺から横方向において内側方向に変位する位置にある。アクチュエータ２０８は、リンクギア２０５がシャフト２１０の周りを摺動するよう、リンクギア２０５に動作可能に連結される。アクチュエータ２０８、したがってリンクギア２０５の横方向において内側方向への変位により、リンクギア２０５が付勢機構１５０のギア１２０ｂとの噛合係合から取り除かれるとともに、移送ギア１２５との噛合係合を維持する。移送ギア１２５はさらに上側ギア１２０ａと噛合係合し得る。アクチュエータ２０８が横方向において内側方向に変位されると、ロッキングタブ２２０も内側方向に変位し、付勢機構１５０のシャフト１３０のさらなる回転を防止する阻止位置に入る。より具体的には、ロッキングタブ２２０の阻止位置によりシャフト１３０の凸部１８５との当接が引き起こされ、これにより矢印Ｚの方向へのシャフト１３０のさらなる回転を防止する。
【００２９】
設置機構２００をロック位置からアンロック位置に遷移させるために、支持板１００の周辺に向かうよう横方向において外方向にアクチュエータ２０８が動かされる。アンロック位置へのアクチュエータ２０８の移動によりリンクギア２０５がシャフト２１０の周りを摺動し、ギア１２０ｂと噛合係合する。さらに、ロッキングタブ２２０は阻止位置から動き、これにより付勢機構１５０のシャフト１３０の自由回転（たとえば、方向Ｚ）を可能にする。
【００３０】
設置機構２００がロック位置にある場合、支持板１００が筐体５５から取り除かれ得る。たとえば、支持板１００は、文書６０の積み重ねにより、筐体５５の前部からいくつかの距離だけ離れて位置し得る。支持板１００を取り出すために、アクセスカバー５１が筐体５５から取り除かれ、設置機構２００がロック位置に配置される。設置機構をロック位置にすることによりロッキングタブ２２０が凸部１８５と当接し、これにより支持板１００のさらなる順方向移動（すなわち方向Ａ）を防止する。リンクギア２０５が移送ギア１２５と下側ギア１２０ｂとの間の噛合係合にないので、上側ギア１２０ａはまだシャフト１３０ａの周りを自由に回転する。支持板１００の上側端部を旋回させることにより、上側ギア１２０ａは、ラック５９にもはや接触しなくなるまでラック５９に沿って回転する。上側ギア１２０ａがラック５９との接触から取り除かれると、下側ギア１０２ｂは下側ラック５９から離れるよう上方向に持ち上げられ得る。ギア１２０ａの対およびギア１２０ｂの対の両方がラック５９と接触しなくなると、支持板は回転され得るとともに、筐体５５から引き出され得る。
【００３１】
他の実現例は請求項の範囲内である。
【図１】
0005485402.tif 000002
【図２】
0005485402.tif 000003
【図３】
0005485402.tif 000004
【図４ａ】
0005485402.tif 000005
【図４ｂ】
0005485402.tif 000006
【図５】
0005485402.tif 000007
【図６】
0005485402.tif 000008
【図７】
0005485402.tif 000009
【図８】
0005485402.tif 000010
【図９】
0005485402.tif 000011
【図１０】
0005485402.tif 000012
【図１１】
0005485402.tif 000013
【図１２】
0005485402.tif 000014
【図１３】
0005485402.tif 000015
【図１４】
0005485402.tif 000016
【図１５】
0005485402.tif 000017